(57)【特許請求の範囲】
【請求項１】
ガラス製品型のための共用ケージアセンブリであって、
ほぼ水平の平坦な上部表面を有する型支持部材を備え、
ガラス製品型は、前記型支持部材の前記上部表面上に配置される少なくとも1つの外側表面を有し、かつ、前記ガラス製品型は、前記少なくとも1つの外側表面に固定された少なくとも1つの型ピンを含み、
さらに、第1および第2ケージ部材を備え、前記各ケージ部材は、前記型支持部材に隣接して回動可能に取付けられ、前記各ケージ部材は、前記ガラス製品型の外側表面の少なくとも一部を受入れるようになっており、前記ケージ部材の少なくとも1つは、前記少なくとも1つの型ピンを受入れるための型ピン受入れ開口を含む共用ケージアセンブリ。
【請求項２】
さらに、型バルブを含むことを特徴とする請求項1に記載のアセンブリ。
【請求項３】
前記型支持部材の前記上部表面は、前記型バルブを受入れるための開口を形成することを特徴とする請求項2に記載のアセンブリ。
【請求項４】
さらに、前記各ケージ部材に作動的に連結されて、該ケージ部材を前記支持部材に隣接して回動可能に取付ける回動手段を含むことを特徴とする請求項1に記載のアセンブリ。
【請求項５】
前記回動手段は、前記各ケージ部材に取付けられた少なくとも1つのヒンジ部材を作動的に連結するヒンジピンを含むことを特徴とする請求項4に記載のアセンブリ。
【請求項６】
さらに、前記各ケージ部材に作動的に連結されて、該ケージ部材を作動させる作動手段を含むことを特徴とする請求項1に記載のアセンブリ。
【請求項７】
前記作動手段は、少なくとも1つの流体シリンダを含むことを特徴とする請求項6に記載のアセンブリ。
【請求項８】
前記ガラス製品型は、ワンピースであることを特徴とする請求項1に記載のアセンブリ。
【請求項９】
前記ガラス製品型は、2ピースであることを特徴とする請求項1に記載のアセンブリ。
【請求項１０】
さらに、調整可能な型バルブを含むことを特徴とする請求項1に記載のアセンブリ。
【請求項１１】
前記型バルブは、ブシュを含むことを特徴とする請求項10に記載のアセンブリ。
【請求項１２】
前記第1および第2ケージ部材は、それぞれ第1および第2ケージホルダを含むことを特徴とする請求項1に記載のアセンブリ。
【請求項１３】
さらに、前記第1および第2ケージホルダを係合させるための第1および第2係合尖端部を含むことを特徴とする請求項12に記載のアセンブリ。
【発明の詳細な説明】
【０００１】
発明の背景
本発明は、一般的には、型の支持体に関する。より具体的には、本発明は、型支持部材およびガラス製品の型を支持する第1および第2ケージを含む共用ケージアセンブリを開示する。
【０００２】
型を有するガラス製品のプレス機械は、当該技術において公知である。これらの従来技術の機構では、例えば、分割型からブロック型に型を交換することが困難であることがわかっている。完全に型を切換えるのに多くの時間がかかることも珍しくはない。切換中は、ガラス製造機械は停止される。その結果、生産のロスとなる。このため、比較的迅速に型を切換えることができるガラス製造機械のアセンブリの要求がある。
【０００３】
本発明は、上述の要求を満足する。以下に説明するように、本発明は、特に、例えば分割型およびブロック型のいずれも容易に受入れる第1ケージ部材および第2ケージ部材を含む共用ケージアセンブリを教示する。本発明は、ガラス製品製造機械において、比較的迅速に型を切換えられるようにすることがわかる。
【０００４】
発明の概要
本発明は、型の共用ケージアセンブリを教示する。本アセンブリは、型支持部材を含む。本アセンブリは、さらに、第1ケージ部材および第2ケージ部材を含む。各ケージ部材は、型支持部材に隣接して取付けられている。各ケージ部材は、型受入れ表面を有する。
【０００５】
本発明の第1の目的は、例えばガラス製品製造機械のための分割型からブロック型への迅速な切換を可能にする共用ケージアセンブリを提供することである。
【０００６】
本発明の他の目的および利点は、以下の好適な実施形態の詳細な説明および添付図面を検討することによって、当業者には明らかになる。
【０００７】
好適な実施形態の詳細な説明
本発明の好適な実施形態および最良の形態をここに図面を参照して詳細に説明する。図面において、本発明の共用ケージアセンブリは、全体として参照符号10によって示されている。
【０００８】
図1〜6を参照して、アセンブリ10は、フレーム14を有するガラス製品製造機械12とともに使用することができる。プレスヘッドアセンブリ16は、フレーム14に移動可能に取付けられている。このプレスヘッドアセンブリ16は、プランジャ18と、第1係合尖端部22および第2係合尖端部24を有するケージ把持アセンブリ20とを含む。ガラス製品製造機械12は、さらに、バルブ調整アセンブリ26を含む。
【０００９】
大多数のガラス製品製造機械12は、通常、回転台(図示せず)に取付けられている。一般的な実施形態では、24個のガラス製品製造機械12が回転台に取付けられている。
【００１０】
図1〜3および図6〜8を参照して、本発明の共用ケージアセンブリ10は、ガラス製品製造機械12のフレーム14に固定された型支持部材30を含む。型支持部材30は、ほぼ水平の上部表面32を含む。図8に示されるように、型支持部材30は、バルブ開口34を形成する。
【００１１】
引続き図1〜3および図6〜8を参照して、アセンブリ10は、第1ケージ部材40および第2ケージ部材42を含む。第1ケージ部材40は、第1外側表面44および第1内側表面46を含む。第2ケージ部材42は、第2外側表面48および第2内側表面50を含む。以下に説明するように、第1および第2内側表面46,50は、型を受入れられる形状および大きさとされている。この点に関して、第1および第2内側表面46,50は、第1および第2型ピン受入れ開口52および54をそれぞれ形成する。図1および図6〜8を参照して、第1および第2ケージ部材40,42は、型支持部材30に隣接してガラス製品製造機械12に回動可能に取付けられている。図6および図8に最もよく示されるように、アセンブリ10は、第1および第2ケージ部材40,42の回動を可能にするヒンジアセンブリ60を含む。ヒンジアセンブリ60は、第1および第2ケージ部材40,42から延ばされて交互に配置されたヒンジ突起62を含む。このヒンジ部材62は、ヒンジ部材62を貫通して延びるヒンジピン64に回動可能に取付けられている。ヒンジアセンブリ60は、第1および第2ケージ部材40,42が図6に示される閉位置から図8に示される開位置の間で回動できるようにする。
【００１２】
図1、図6および図8を参照して、第1および第2ケージ部材40,42は、一般的なリンク機構70を介してケージ作動シリンダ66および68に作動的に連結されている。ケージ作動シリンダ66および68の作動は、第1および第2ケージ部材40,42を図6および図8に示されるように閉位置と開位置との間で回動させる。
【００１３】
図7〜図9を参照して、アセンブリ10は、ワンピースすなわちブロック型80を含むことができる。この型は、ガラス製品成形内側表面82およびほぼ円筒状の外側表面84を含む。第1および第2ケージ部材40,42の第1および第2内側表面46,50は、ケージ部材40および42が閉位置にあるとき、型80の外側表面の少なくとも一部を受入れるほぼ円筒形状をそれぞれ有している。図7に示されるように、型80の外側表面84は、第1および第2型ピン86,88を含む。この型ピン86および88は、ケージ部材40および42が閉位置にあるとき、第1および第2ケージ部材40,42の第1および第2型ピン受入れ開口52,54によってそれぞれ受入れられる。
【００１４】
図8を参照して、アセンブリ10は、バルブ開口34に配置されたブロックブシュ92を有するブロックバルブ90を含むことができる。図7に示されるように、ブロック型80が型支持部材30上に配置されたとき、ブロックバルブ90は、型の内部に延びる。図9に示されるように、ブロックバルブ90およびブロックブシュ92は、アセンブリ10の型支持部材30のバルブ開口34から取外すことができる。
【００１５】
図2および図7を参照して、第1および第2ケージ部材40,42は、第1および第2ケージホルダ94,96を含む。第1および第2ケージホルダ94,96は、それぞれ、プレスヘッドアセンブリ16のケージ把持アセンブリ20の第1および第2係合尖端部22,24によって受入れられる形状および大きさとなっている。第1および第2係合尖端部22,24の第1および第2ケージホルダ94,96への係合は、第1および第2ケージ部材40,42を閉位置で維持する。
【００１６】
図10〜図12を参照して、アセンブリ10は、第1型半体102および第2型半体104を有する2ピースすなわち分割型100を含むことができる。第1型半体102は、ガラス製品成形内側表面106およびほぼ円筒状の第1型外側表面108を含む。第1型外側表面108の少なくとも一部は、第1ケージ部材40の第1内側表面46によって受入れられる。第2型半体104は、ガラス製品成形内側表面110および第2型外側表面112を含む。第2型外側表面110の少なくとも一部は、第2ケージ部材42の第2内側表面50によって受入れられる。
【００１７】
図11および図12を参照して、アセンブリ10は、分割型バルブ114および分割型バルブブシュ116を含むことができる。分割型バルブ114および分割型バルブブシュは、型支持部材30のバルブ開口34に取外し可能に配置されている。
【００１８】
図1および図7〜図12を参照して、アセンブリ10の作動がここに説明される。例えばブロック型80から分割型100への型の切換が要求されたとき、第1および第2ケージ部材40,42は、図7に示すように開位置へ回動される。ブロック型80は、型支持部材30から取外される。ブロック型80を取外すと、図8に示されるように、ブロックバルブ90およびブロックバルブブシュ92が露出する。そして、ブロックバルブ90およびブロックバルブブシュ92は、図9に示されるように、型支持部材30のバルブ開口34から取外すことができる。
【００１９】
図10〜図12を参照して、第1および第2型半体102,104を有する分割型100は、第1および第2ケージ部材40,42にそれぞれ隣接して配置することができる。分割型バルブ114および分割型バルブブシュ116は、図10および図11に示すように、型支持部材30のバルブ開口34に挿入することができる。型の切換が再度要求されたとき、上述の操作を反復することができる。
【００２０】
以上の本発明の詳細な説明は、説明の目的のために与えられている。本発明の技術的範囲から逸脱することなく、様々な変更および修正が可能であることは、当業者には了解されることである。したがって、以上の説明の全ては、例示であり、限定的な意味ではないと解釈されるべきであり、本発明の技術的範囲は、添付の請求の範囲によってのみ限定される。
【図面の簡単な説明】
【図１】  本発明による共用ケージアセンブリを含むガラス製品製造機械の側面図である。
【図２】  図1に示されるガラス製品製造機械の正面図である。
【図３】  図2の3−3線についての図である。
【図４】  図1の4−4線についての図である。
【図５】  図1の5−5線についての断面図でである。
【図６】  図1の6−6線についての断面図である。
【図７】  ブロック型を有する本発明の共用ケージアセンブリの斜視図である。
【図８】  ブロック型バルブを有する共用ケージアセンブリの斜視図である。
【図９】  取外されたブロック型バルブおよびブロック型バルブブシュを有する共用ケージアセンブリの斜視図である。
【図１０】  分割型を有する本発明の共用ケージアセンブリの斜視図である。
【図１１】  分割型バルブを有する共用ケージアセンブリの斜視図である。
【図１２】  取外された分割型バルブおよび分割型バルブブシュを有する共用ケージアセンブリの斜視図である。
【図１】
0004505831.tif 000002
【図２】
0004505831.tif 000003
【図３】
0004505831.tif 000004
【図４】
0004505831.tif 000005
【図５】
0004505831.tif 000006
【図６】
0004505831.tif 000007
【図７】
0004505831.tif 000008
【図８】
0004505831.tif 000009
【図９】
0004505831.tif 000010
【図１０】
0004505831.tif 000011
【図１１】
0004505831.tif 000012
【図１２】
0004505831.tif 000013